(57)【要約】【課題】常時折り畳み平板状で持ち運びが可能で、緊急時、容易に立体的となり、頭部を保護出来る、使い捨ての防災用簡易組み立て帽子を、提供すること【解決手段】頭部を覆う所望の立体形状の展開図よりなる簡易組み立て帽子である。該展開図は平面要素の組み合わせよりなり、各要素は隣り合う要素と折り曲げヒンジを介して結合している。所望の要素に設けた小孔を通って両端を他の別々の要素に固定した１〜複数本の紐を設け、該紐を引いて絞ることにより、頭部を覆う立体形状となる。  材料としてダンボール或いは厚紙等を用いる。必要に応じ外装面を塗料を含浸させた不織布で覆い、耐水性、耐突き刺し性に対応出来る様に補強したり、内側へ同種材を織り込んで裏当てとして補強したりすることができる。緊急時、瞬時に立体化して頭部を保護出来る、使い捨て防災用簡易組み立て帽子として有用である。【選択図】  図９
2011021293.tif 000002
【特許請求の範囲】
【請求項１】
頭部を覆う所望の立体形状の展開図よりなる簡易組み立て帽子であって、該展開図は平面要素の組み合わせよりなり、各要素は隣り合う要素と折り曲げヒンジを介して結合し、一端を所望の要素に固定し他の要素に設けた小孔を通る１〜複数本の紐を具備し、該紐を引いて絞ることにより、頭部を覆う立体形状となるように構成した簡易組み立て帽子。
【請求項２】
その材質が、厚紙、ダンボール、プラスチックシート、プラスチックダンボール、樹脂シート又は発泡樹脂シートである請求項１の簡易組み立て帽子。
【請求項３】
頭頂部及びその周囲の内側に、複数の折り曲げ加工を施したクッション性を有する裏当てを取り付けた請求項１又は２の簡易組み立て帽子。
【請求項４】
外層となるダンボール又は厚紙の表面を、塗料を含浸した不織布で覆い塗装するか、ガラス繊維を含有した樹脂で被覆した請求項１，２又は３の簡易組み立て帽子。
【請求項５】
裏当ての材質が、ダンボール、プラスチックダンボール、発泡樹脂シート又は樹脂シートである請求項３又は４の簡易組み立て帽子。
【請求項６】
使い捨て防災用である請求項１〜６のいずれか１項の簡易組み立て帽子。
【発明の詳細な説明】
【技術分野】
【０００１】
本発明は、ダンボールや厚紙、等を加工し、簡単な紐、等の組合せで、平面状の素材を短時間で立体的とすることが可能な簡易帽子に関する。本発明の帽子は、携帯時、平板状に折り畳み、軽く、持ち運びが可能で、咄嗟に頭部を保護する必要が生じた際、頭部に被りあご紐を引くことで、立体的に半球状の多面体となる。本発明載帽子は、使い捨て防災用簡易組み立て帽子として適する。
【背景技術】
【０００２】
従来、地震や台風、などの災害時、頭部を守るための保護具としては、一般産業用ではヘルメットが、又、家庭や小学校、等では、古くから防災頭巾が用いられて来ている。ヘルメットは、飛来物の落下に対する衝撃緩和、頭部の保護を目的とした厚生労働省の認定規格に則って作られる安全帽で、広く一般に用いられ、日々改良が行われて来ている。
例えば、特許文献１に見られる様に材質に複合材を用いて強化したり、特許文献２に見られる様に金属化と共に内側をハンモック状にして、頭部への衝撃を緩和させたり、特許文献３に見られる様にヘルメット装着時の汗を吸収し、取り替え可能として快適性向上を提案したり、種々の改良が行われて来ている。このためこれらのヘルメットを、非常時用として、各職場、学校、家庭、等、集団の単位で、人が常駐する場所に、各々準備し備えつけていることが多い。
【０００３】
一方、昔から、簡易的に頭部への飛来物の衝撃緩和と共に、火災時の一時的防熱、等も考慮された綿入りの防災頭巾が頭部の保護に用いられ、現在も小学校や家庭、等で非常時用に備えられている。最近では、この防災頭巾自体を難燃性の繊維を用いた布で作成し、難燃、防炎を兼ね備えたものも市販されている。
この様に地震、等の災害時、安全に頭部を保護するための方法として、これらヘルメット、防災頭巾の準備は各自に、或いは各集団単位に推奨されるものである。
【０００４】
しかし、問題は地震、等の自然災害が何時発生するか、不明なところにある。即ち、これら安全帽、ヘルメットや防災頭巾が常時準備されている職場や学校、或いは家庭での災害発生では問題ないが、日常的に都市部へ電車や地下鉄で通勤する一般のサラリーマンやＯＬが通勤時、或いは営業活動、等で都市のビル街、地下街、他を行き来する人達は、移動中に災害が発生した場合は、全くの無防備状態である。特に、都市部ではビルの看板や割れたガラスの落下、地下街では、天井の一部や照明、等の落下で頭部を損傷する危険性が高い。
【０００５】
この様な状況に備え、形状的に嵩張る上記のヘルメットや防災頭巾を常時、持ち運ぶことが可能かと言うと、実際上は難しい。即ち、ヘルメットは一体で出来た半球状の形状が外部からの衝撃を分散して安全を確保することから形状維持は必須で有り、大きく嵩張り、常時の携帯には適さない。一方、昔からの防災頭巾も、布地袋内に綿、等を厚く入れ頭部保護を図っていることから、折り畳んでもかなり嵩張り、常時の携帯には適さない。最近では、外層に高機能素材を用いた折り畳み板状で、覆った防災頭巾も、特許文献４で提案されているが、現実的には折り畳んでもかなりの大きさとなり、日常の持ち運びには適さなく、又材料的に高価が予想される。
【０００６】
常時持ち運び可能な防災頭巾としては、特許文献５では、災害時直ぐに被れる防災用カバンも提案されている。しかし、カバンは年齢層、使用目的、或いは各人の嗜好により一定形状を皆が常時携帯するものではなく、汎用的とは言えない。一方、特許文献６に見られる様に、充分な防護性を有する中空の隣接する袋体でヘルメットを構成し、必要時、瞬時に中空体に空気や炭酸ガス、等の気体を充填する機構を備えた携帯時コンパクトなヘルメットも提案されている。
このヘルメットは、非常時防災機能として有用と思われるが、製作が複雑で、気体を充填する機構に圧縮ガスを用いると小型の圧力容器を携帯することになり危険で有り、又ポンプ式とすると、緊急時には間に合わない。更には、特許文献７に見られる様に、樹脂シートを多角形に加工した折り畳み式ヘルメットも提案され、有用性は認められるが、樹脂シートを加工することから工程的に複雑で、価格的に高価となり易い。
【０００７】
この様に、これら安全帽、ヘルメットは、寸法的に嵩張ったり、又大き過ぎたり、本来の目的と嗜好により汎用的でなかったり、或いは、コンパクト、折り畳みが可能で有用ではあるものの高価である等、非常時のみの一時的な使用後、使い捨て出来る程安価ではなく、汎用的にだれもが常時、持ち運ぶには適していない。
このため、日常的に都市部を往来する人達にとって、何時地震、等の自然災害に遭遇し、視界が利かない状態でも簡単に組み立て、頭部を頭上の構築物、その破片、飛来物や落下物から守ってくれる携帯性に優れ、安価な使い捨て可能な防災用の簡易組み立て帽子が望まれていた。即ち、一時的に災害を防ぎ、使用後捨てることが可能な、だれでも入手可能な安価で、使い易く、常時、鞄、等へ折り畳んで携帯可能な防災用の帽子が求められていた。
【先行技術文献】
【特許文献】
【０００８】
【特許文献１】特開平０９−２６８４１５
【特許文献２】特開２００３−１５５６１９
【特許文献３】特開平１０−１３０９３７
【特許文献４】特開平０９−０１０３４１
【特許文献５】特開２００７−０３７６０２
【特許文献６】特開２０００−１１００２２
【特許文献７】特開２００９−０６２６６４
【発明の概要】
【発明が解決しようとする課題】
【０００９】
本発明は、上記の問題点に鑑み、常時折り畳んで平板状で持ち運びが可能で、緊急時、容易に立体的な半球状の多面体となり、頭部を保護出来る、使い捨ての防災用等に使用可能な簡易組み立て帽子を、提供することを課題とする。
【課題を解決するための手段】
【００１０】
上記、本発明の課題は、以下により達成される。
１．頭部を覆う所望の立体形状の展開図よりなる簡易組み立て帽子であって、該展開図は平面要素の組み合わせよりなり、各要素は隣り合う要素と折り曲げヒンジを介して結合し、一端を所望の要素に固定し他の要素に設けた小孔を通る１〜複数本の紐を具備し、該紐を引いて絞ることにより、頭部を覆う立体形状となるように構成した簡易組み立て帽子。
２．その材質が、厚紙、ダンボール、プラスチックシート、プラスチックダンボール、樹脂シート又は発泡樹脂シートである前記１の簡易組み立て帽子。
３．頭頂部及びその周囲の内側に、複数の折り曲げ加工を施したクッション性を有する裏当てを取り付けた前記１又は２の簡易組み立て帽子。
４．外層となるダンボール又は厚紙の表面を、塗料を含浸した不織布で覆い塗装するか、ガラス繊維を含有した樹脂で被覆した前記１，２又は３の簡易組み立て帽子。
５．裏当ての材質が、ダンボール、プラスチックダンボール、発泡樹脂シート又は樹脂シートである前記３又は４の簡易組み立て帽子。
６．使い捨て防災用である前記１〜６のいずれか１項の簡易組み立て帽子。
【発明の効果】
【００１１】
本発明の帽子は、折りたたみ可能でコンパクトなため、携帯が容易であり、使用時は紐を引っ張ることによりワンタッチで組み立てることができる。本発明の安価で使い勝手の良い帽子の提供により、日々通勤で鉄道、地下鉄、等の交通機関を使う学生やサラリーマン、ＯＬ、或いはビル内や地下街等の職場で働く一般の人達、更には営業や業務でビル街や地下街を往来する頻度の高い人達にとっては、常時、鞄やバッグ内に折り畳んで持ち運ぶことが可能となり、緊急時、暗闇でも容易に装着出来、頭部を保護することが可能となった。
【図面の簡単な説明】
【００１２】
【図１】本発明の簡易組み立て帽子の外装部の組み立て前の状態の展開図である。直線状の細点線は折り曲げヒンジを、曲線状の太点線は、内側に隠れている紐を表わす。
【図２】本発明の簡易組み立て帽子で、内側に折り込み裏当てとなる部分と外装部が一体の、組み立て前の状態の展開図である。
【図３】本発明の簡易組み立て帽子の内側に取り付けるダンボール或いは厚紙、等で作られるクッション性を有する裏当てを表わす斜視図である。
【図４】本発明の簡易組み立て帽子の内側に取り付ける裏当て内部に挿入される、ダンボール或いは厚紙、等で作られる蛇腹状クッション材を表わす斜視図である。
【図５】本発明の簡易組み立て帽子を立体的に組み立てた際、内側に裏当てが取り付けられている様子の一部を、内側から見、一部透視とした斜視図である。
【図６】本発明の簡易組み立て帽子の外装部の一部を示し、ダンボールの表層を、塗料を含有させた不織布で覆い固化させた状態の断面、或いはダンボールの表層をガラス繊維を含有する樹脂で覆い固化させた状態の断面を模擬的に示す図である。
【図７】本発明の簡易組み立て帽子のあご紐を引く前の状態を示す斜視図である。
【図８】本発明の簡易組み立て帽子のあご紐を引きながら、前頭部の庇となる部分を折り曲げている状態を示す斜視図である。
【図９】本発明の防災用簡易組み立て帽子のあご紐を引き、立体的な半球状の多面体となり、前頭部の庇となる折り込みを完成させた状態を示す斜視図である。
【発明を実施するための形態】
【００１３】
本発明の帽子は、所望の立体形状の展開図よりなる。この展開図は、三角形、四角形等の多角形やその他所望の形状の平板状の要素よりなり、隣り合う要素とはヒンジを介して結合している。これらのうち、所望の１〜複数個の要素に設けた小孔を通って、１〜複数本の紐が一端でそれぞれ他の要素に固定されており、これらの紐を引っ張って絞ることにより、隣り合う要素がヒンジにて折り曲げられ、立体形状となる。
【００１４】
本発明の簡易組み立て帽子は、軽量であると共に、ある程度の機械的強度、容易な加工性、廃棄時のリサイクル性及び、一過性の使い捨てであることが好ましく、そのためには安価であることが求められる。この条件を満たすため本発明者は、各種材料に付いて鋭意検討を進めた結果、ダンボール或いは厚紙での製作が最適と判断した。特に軽量で加工性の良いダンボール或いは厚紙、等の素材を用いることで、衝撃力や圧縮力を、その素材の持つ構造や、折り込みによる構造で緩和し、一方、その素材の持つ欠点を外装表面への塗料を含浸させた不織布や、ガラス繊維、等を分散させた樹脂で覆うことにより解決することができる。
即ち、ダンボール或いは厚紙は、軽量で加工性が良く、外部からの衝撃力や圧縮力に対し、先ず表面の剛性で受け止め、次に織り込みの構造の変形で力を吸収し、そして更にダンボールは素材の芯の波板構造から座屈により力を吸収出来るからである。しかも、ダンボールや厚紙は、紙で出来ていることから着火温度も高く、直接の火炎にさらされない限り、燃え出すことも少ない。
【００１５】
しかし、ダンボールや厚紙にも欠点は有り、それは、水に弱く、一部でも接触すると簡単に柔らくなり崩壊することである。又、ナイフ、等で切り込み易いことや、鋭い金属片やガラス片、等の突き刺し強度にも弱い。これらの弱点に付いて、本発明者は過去の経験から、水に対しては、ダンボール或いは厚紙の外層部に防水塗工が有効で有り、対突き刺し強度に対しては、塗料や樹脂を含浸した不織布、等の繊維を同様に、外層部を覆う様に被覆させることが有効であることに思い至った。これらとは別に、一過性ではなく、繰り返し使用を目的とするものに付いては、プラスチックダンボール、或いは発泡樹脂シート、或いは樹脂シートでの製作が推奨される。
【００１６】
本発明で、図１に示されるような、外装となる帽子に用いられるダンボールに付いては、表面ライナーは古紙の割合が少なく、強度の強いＫ５かＫ６規格が好ましく、中芯は剛性を保持する目的から、目付けで１２０〜１８０ｇが、緩衝性の保持には、中間の波芯構造が一段のＡフルート、又は二段のＷフルートで厚さ３〜８ｍｍのものが好ましい。具体的例として、ダンボール規格として、Ｋ５・１２０ｇ、ＷフルートやＫ６・１８０ｇ、Ａフルートが考えられる。
【００１７】
又、図５で示されるような、本発明の外装となる帽子の内側で頭頂部及びその周囲を保護する、記号１ｆ、３ｆで示されるクッション性を有する裏当て部分のダンボールとしては、外装用より目付けが少なく、多少柔軟性を有するもので一般的に用いられているＣ５・１５０ｇ、ＡフルートやＫ５・１２０ｇ、Ａフルートが例として考えられる。
【００１８】
同様に本発明の図１に示されるような外装部分には、ボール紙と言われる厚紙を加工して製作することも出来る。ここで用いられる厚紙としては、比較的剛性が高く、加工可能な厚さ、１〜８ｍｍ程度が好ましい。厚さ１ｍｍ未満では、形状保持が難しく、８ｍｍを超えると加工が難しいばかりでなく、重量的に重くなり、好ましくない。従って、具体的には、２〜４ｍｍ程度の厚紙が望ましい。
【００１９】
これらダンボール或いは厚紙に付いては、その欠点として、水と接触すると崩壊し易く、著しく弱くなる点やナイフ、等で切り込み易い点、金属片やガラス片、等の鋭利で硬質なものの突き刺しに弱い点が上げられる。本発明においては、これらの欠点を克服するたに、以下の方法が好ましく提供される。
即ち、ダンボール或いは厚紙で外層となる面に、不織布に塗料を含浸させ、面全体を不織布で覆い、含浸させた塗料の固化で、表面に不織布を固定すると同時に塗装も行う方法である。防水対策としては、塗料の塗工のみも考えられるが、突き刺しへの対応も考慮すると、不織布を併用して覆うことを推奨する。以下、図６の外装被覆断面図を参考に、説明する。
【００２０】
本発明で、防水対策及び不織布の固定用として用いられる塗料としては、特に限定せず、一般に市販されている防水効果のあるアクリル系塗料、ウレタン系塗料の他、シリコン系、フッ素系素材が配合されたものでも可能で、溶剤性、水溶性のどちらも用いることが出来る。
又、塗料と共に用いられる突き刺し力への対応として用いられる不織布としては、ポリプロピレン系不織布やポリエステル系不織布に限らず他の素材、ナイロン系、等も用いることが出来るが、その目付けは、２０ｇ／ｍ２〜８０ｇ／ｍ２が好ましい。目付けが２０ｇ／ｍ２未満では、布地が薄く、これらの欠点に対処出来ず、一方目付けが８０ｇ／ｍ２を超えるとでは厚く、塗料含浸に時間を要し、固化後のヒンジ、打ち抜き、等の加工性が著しく低下し、好ましくない。従って、最適な不織布の目付けとしては、３０ｇ／ｍ２〜５０ｇ／ｍ２が望ましい。又、不織布の代わりに織込んだ布地も用いることが出来るが、加工性と目付けを考慮して選択する必要がある。
【００２１】
上記方法の他に、これらの欠点を克服する方法としては、ガラス繊維や樹脂繊維を含有する熱硬化性樹脂、所謂、ＦＲＰ素材をダンボール或いは厚紙の外層面に塗工し被覆させるやり方もある。一般に樹脂に含ませる繊維としては、１０ｍｍ以上の長繊維チョップで、ガラス繊維かポリエステル繊維が好ましく、カーボン繊維や金属繊維は好ましくない。カーボン繊維や金属繊維は、導電性が有り、頭上の配線、等で感電の危険がある。
【００２２】
ここで用いられる熱硬化性樹脂としては、一般的には、不飽和ポリエステル樹脂やエポキシ樹脂が推奨され、含有させる繊維量は、ガラス繊維では５０ｇ／ｍ２〜１５０ｇ／ｍ２、ポリエステル繊維では、不織布と同様２０ｇ／ｍ２〜８０ｇ／ｍ２が好ましい。ガラス繊維が５０ｇ／ｍ２未満では、分散ムラが生じ、欠点への対応が難しく、１５０ｇ／ｍ２を超えるとでは、重量的に重くなり、ヒンジ部の加工が難しくなる。従って望ましいガラス繊維の含有量は、６０ｇ／ｍ２〜１００ｇ／ｍ２で、ポリエステル繊維では、４０ｇ／ｍ２〜６０ｇ／ｍ２である。
【００２３】
ダンボール或いは厚紙の外層面を被覆する方法は、予めこれらの外層面に被覆させてから、ヒンジ、穴開け、打ち抜きを、トムソン型、等で行う方法が好ましいが、材料の節約の観点からは、打ち抜き加工後のダンボール或いは厚紙に施すことも可能である。この様にして、これらダンボール或いは厚紙での欠点を克服した外層被覆した例として、その断面を図６に示す。
【００２４】
一方、一過性ではなく、繰り返し使用する場合は、本発明の外装材にプラスチックダンボール又は発泡樹脂シート、或いは樹脂シートで製作して、同様に用いることが出来る。ここで用いられるプラスチックダンボールとしては、一般に市場で用いられているポリプロピレン樹脂製で密度が、５００〜１０００ｇ／ｍ２、厚みが３．０〜５．０ｍｍ程度のものが好ましい。密度が５００ｇ／ｍ２未満では衝撃強度が弱く、１０００ｇ／ｍ２を超えると剛性が大きく、加工が難しい。又厚さが３ｍｍ未満では、剛性に指向性が顕著となり、形状保持が難しく、５ｍｍを超えると、剛性が大きく加工が難しいのと共に組み立て時の形状保持が難しい。従って、望ましいプラスチックダンボールとしては、密度が６００〜８００ｇ／ｍ２、厚さ４〜５ｍｍ程度が望ましい。
【００２５】
又、発泡樹脂シートを用いる場合、一般には市場で汎用的に用いられているポリプロピレン樹脂製が、靭性、耐衝撃性、加工性、等から最適で、発泡倍率１．５〜８倍、厚さ１．５〜８ｍｍ程度のものが可能と思われる。発泡倍率が低い場合、剛性が大きく強度も大きいことから、厚さを薄くすることが可能で、逆に発泡倍率が高い場合は、物性維持にある程度の厚さが必要である。ここで、発泡倍率１．５倍以下、厚み１．５ｍｍ以下では、非発泡の樹脂シートで代用出来、発泡倍率が８倍以上、厚さ８ｍｍ以上では、加工が難しく、更には形状保持が難しい。従って、望ましい発泡樹脂シートとしては、発泡倍率２〜４倍、厚さ３〜５ｍｍ程度が望ましい。
【００２６】
同様に、樹脂シートに関しては、材質がポリエチレン樹脂やポリプロピレン樹脂、等のポリオレフィン樹脂が、靭性、耐衝撃性、加工性、等から最適で、厚さは、１〜３ｍｍが好ましい。厚さ１ｍｍ以下では、剛性がなく形状維持が難しく、３ｍｍ以上では、加工が難しく、又重量的にも重くなり好ましくない。従って、望ましい樹脂シートとしては、厚さ１．５〜２ｍｍ程度が推奨される。
【実施例１】
【００２７】
次に、本発明の簡易組み立て帽子に付いて、平板状のダンボール或いは厚紙、等を加工、打ち抜いて、出来る平面要素、折り曲げヒンジ、穴、等を有する平板状の外装と、その特定箇所に固定した紐を、重ね合わされる隣接面に設けた穴を通して引くことにより、立体的に半球状の多面体となる機構を、図１に従って述べる。
【００２８】
図１で、先ず前頭額面、２ａ、にヒンジを介して取り付けられている前頭額左重ね面、２ａ左、には、前頭額左重ね面の紐固定部、２ｃ左、に前頭額左重ね面の固定用紐、１ｄ左、を固定する。具体的には、２ａ左、の、２ｃ左、に紐と同径の穴を開け、１ｄ左、の一方の端を内側から外層側へ通し、先端に結び目を作ったり、更には穴の開いた円板状のプラスチック板、等へ通して、先端に結び目状を作ったりして、内側から、１ｄ左、を引っ張っても抜けない様にする。その１ｄ左、の反対側の端は、前頭左側面、３ａ左、に設けられた前頭左側面の紐通し穴、３ｃ左１、を外層側から内側へ通し、左側面、４ａ左、に設けられた左側面の上、紐通し穴、４ｃ左１、へ外層側から内側へ通し、最終的に左側の顎紐、５ｄ左、へ結び付ける。
【００２９】
また、前頭左側面、３ａ左、にヒンジを介して取り付けられている前頭左側重ね面、３ａ左横、には、前頭左側重ね面の紐固定部、３ｃ左、に前頭左側重ね面の固定用紐、２ｄ左、を固定する。具体的には、３ａ左横、の３ｃ左、に紐と同径の穴を開け、２ｄ左、の一方の端を内側から外層側へ通し、先端に結び目を作ったり、更に穴の開いた円板状のプラスチック、等へ通して、先端に結び目を作ったりして、内側から２ｄ左、を引っ張っても抜けない様にする。その２ｄ左、の反対側の端は、左側面、４ａ左、に設けられた左側面上、紐通し穴、４ｃ左１、へ外層側から内側へ通し、最終的に左側の顎紐、５ｄ左へ結び付ける。
【００３０】
次に、後重ね面、６ａ左横、の後頭左重ね面の紐固定部、６ｃ左、には、後頭左重ね面の固定用紐、３ｄ左、を固定する。具体的には、６ａ左横、の６ｃ左、に紐と同径の穴を開け、３ｄ左、の一方の端を内側から外層側へ通し、先端に結び目を作ったり、更に穴の開いた円板状のプラスチック、等へ通して、先端に結び目を作ったりして、内側から３ｄ左、を引っ張っても抜けない様にする。その３ｄ左、の反対側の端は、後頭左側面、５ａ左、に設けられた後頭左側面の紐通し穴、５ｃ左１、を外層側から内側へ通し、左側面、４ａ左、に設けられた左側面の下、紐通し穴、４ｃ左２、へ外層側から内側へ通し、最終的に左側の顎紐、５ｄ左、へ結び付ける。
【００３１】
また、後頭左側面、５ａ左、にヒンジを介して取り付けられている後頭左側重ね面、５ａ左横、には、後頭左側重ね面の紐固定部、５ｃ左に、後頭左側重ね面の固定用紐、４ｄ左、を固定する。具体的には、５ａ左横、の５ｃ左、に、紐と同径の穴を開け、４ｄ左、の一方の端を内側から外層側へ通し、先端に結び目を作ったり、更に穴の開いた円板状のプラスチック、等へ通して、先端に結び目を作ったりして、内側から４ｄ左、を引っ張っても抜けない様にする。その４ｄ左、の反対側の端は、左側面、４ａ左、に設けられた左側面下、紐通し穴、４ｃ左２、へ外層側から内側へ通し、最終的に左側の顎紐、５ｄ左、へ結び付ける。
【００３２】
ここで、紐固定部、２ｃ左、３ｃ左、５ｃ左、６ｃ左、の穴径は、紐と同径とし、紐を通す穴、３ｃ左１、４ｃ左１、４ｃ左２、５ｃ左１の穴径は、紐の１．５〜２．０倍程度が好ましく、これらの穴は、素材のダンボールや厚紙、等と、摩擦や応力で破損しない様、真鍮やアルミ、等のハトメやアイレットで補強することが推奨される。
【００３３】
また、ここで用いられる紐としては、レーヨンとジュートの混紡からなる麻紐や、アクリルや麻の混紡からなる、通称の麻紐・スピンドル、等、一般的なものを用いることが出来るが、取り扱い易さからは、５〜７ｍｍ程度の太さで、断面が丸形状のものが推奨される。一方、これら麻紐と同様の役割として所謂、平らなＰＰバンドも用いることが出来るが、その場合は、紐を通す穴は、その断面形状に合わせ、平らなスリット型とする必要がある。これら左右の顎紐、５ｄ右、５ｄ左は、プラスチック製の紐止め、６ｄ、に通すことにより、紐を緩めて平板状としたり、引張って立体形状にして、固定したりすることが出来る。
右側に付いても同様な加工で、平面から立体形状への機構を備える様に作成し、最終的に左右の顎紐、５ｄ右、５ｄ左、を引くことで操作出来る様に作成する。
【００３４】
次に、庇の形成に付いて述べると、本発明の防災用簡易組み立て帽子には、上からの雨や小石、等の落下物から顔面を保護する様、簡単な庇を作る構造が設けられている。ここでは、立体形状とする際、図７で示す様に、折り曲げる庇面、１ａ、の中程に設けた庇とする折り曲げヒンジ、１ａｈ、に沿って、１ｇに示す方向に手動で谷折りする。
続いて、図８に示す様に、１ａ、の面を２ｇで示す方向に、１ａｈから略二つに折り曲げ、折り曲げ庇差込み爪、１ｂを前頭額面、２ａ、に設けられた前頭額面の庇爪差込部、２ｂ、と前頭右側面、３ａ右、及び前頭左側面、３ａ左、に夫々設けられた前頭左右側面の庇爪差込部へ完全に差込み、図９に示す様に固定する。これにより、顔面防護の庇を作ることが出来る。
【００３５】
又、これら上記の外装となるダンボール或いは厚紙、等の平板からの立体形状にする際、予め内側から頭頂及びその周囲に付いて、外部からの衝撃力や圧縮力を吸収出来る様、図５に示す様な裏当てをすることを推奨する。
【００３６】
本発明では図２に示す様に、外装となるダンボール或いは厚紙、等の平板からの立体形状にする際、予め内側に折り込み裏当てとなる部分も一体とした形状で、製作することも出来る。ここで、図２の外装と裏当てを一体とした形状に付いて、裏当てを作成する方法を示すと、裏当てを内側に折り込む山折りヒンジ、２ａｈ、より、下側の面全体を外装の内側へ折り曲げる。各破線部を山、谷交互に折り、図３に示す様に頭頂及びその周囲の正方形面が、裏側へ凸となる様な形状に折り、裏当ての頭頂部、７ａ、が外装の頭頂部の裏側に重なる位置に合わせる。
続いて、図５に示す様に、裏当てを固定する差込爪、４ｂ、を、外装面に設けられた裏当ての爪差込部、５ｂ、へ差し込みしっかりと固定する。これにより、外部からの応力を、先ず外装表面の剛性で受け止め、次にこの裏当ての折り込み構造の変形で力を吸収し、更にはダンボールの場合、素材の芯の波板構造の座屈により力を吸収し、頭部を保護することが可能となる。
因みに、図２の裏当てを内側に折り込む山折りヒンジ、２ａｈ、より、下側の面は外装の内側へ折り込み、直接頭部に接するから、先に述べた塗工や、塗料を含浸させた不織布、等で覆う迄の必要性はない。
【００３７】
又、本発明では、図３に示す様に別途、蛇腹状の折込み、３ｆ、を内包する頭頂及びその周囲の裏当て用の折込み構造、１ｆ、をダンボール或いは厚紙、等で作成し、差込み爪、２ｆ、で外装立体形状の帽子の内側へ図−５に示す様に取り付ける方法も提供される。この方法でも同様に、外部からの応力を、先ず外装面の剛性で受け止め、次にこの裏当ての折り込み構造の変形で力を吸収し、更にはダンボールの場合、素材の芯の波板構造の座屈により力を吸収し、頭部を保護することが可能となる。
【００３８】
この様にして作成される簡易組み立て帽子は、佐右の顎紐、５ｄ右、及び、５ｄ、を引くことで、図７、図８に示す様に、２ａ右、は、３ａ右に、２ａ左、は、３ａ左に外側から重なり、３ａ右横、は、４ａ右、に、３ａ左横、は、４ａ左、に外側から重なり、６ａ右横、は、５ａ右、に、６ａ左横、は、５ａ左、に、外側から重なり、５ａ右横、は４ａ右、に、５ａ左横、は４ａ左、に外側から重なり、平板から図−９に示される様な立体形状の防災用簡易組み立て帽子となる。
【００３９】
この様に本発明では、ダンボール或いは厚紙、等を図１に示した形状に打ち抜き、ヒンジを介した所定の面を紐で引くことにより図７、図８、そして最終的に図９に示す様に平板を立体形状の帽子としているが、その形状に付いては、本発明の八角開口形に限らず、六角開口形、四角開口形でも可能である。又、紐を用いず、折り畳み形状のみで平板、立体形状への変換機構は可能であるが、顎紐でしっかり頭部に固定するには、各部を紐で固定する方法が効果的である。
【００４０】
この様に外層面を塗料で含浸した不織布で覆ったダンボール平板を、本発明で示す図１の形状で打ち抜き、同時にダンボールを図３、図４の裏当て形状に作り、図５に示される様に、その内側に取り付けることが望ましく、このことにより、外部からの応力を著しく緩和出来る様になる。この裏当て付きの外装平板に、所定の紐を通し、左右の顎紐に統合することで、緊急時、容易に頭部に装着し、顎紐を引くことで、立体形状となり、頭部を保護することが容易となる。
【実施例２】
【００４１】
ダンボールとしてＫ６・１６０ｇ、Ａフルートを用い、塗料として架橋型シリコン−アクリル樹脂塗料（水性建物用塗料（黄色）ＡＯ２００１：（株）アサヒペン製）を含浸させた目付け３０ｇ／ｍ２のポリプロピレン製不織布（シンテックス：三井化学（株）製）を外層となる面を覆う様に均一に貼り付け、２４時間以上掛けて乾燥させた。この様にして作成した外層面に塗工されたダンボール平板を、頭頂の正方形の一辺が１２００ｍｍとして、図１に準ずる形状で相似的に拡大し、形状に合わせ、ヒンジ部は手圧で折り曲げ、全体形状に沿って挟みで切り取った。
【００４２】
続いて、ダンボール、Ｋ５・１２０ｇ、Ａフルートを用い図３で、１ｆ、の一辺１１００ｍｍの正方形で高さ１５ｍｍの裏当てが５個、十字形で繋がる様に挟みで切り取り、折り曲げ、差込用の爪、２ｆ、も作成した。同じダンボール、Ｋ５・１２０ｇ、Ａフルートを用いて、３ｆ、に相当する高さ１０ｍｍの蛇腹を各裏当て内に収まる様、切り分け、折り曲げて作成した。この裏当てを、図−５の様に先の切り取った外装面の内側に取り付けた。
【００４３】
次に、６ｍｍの紐を固定する面へは、内径５．５ｍｍのアルミ製のハトメで穴を作り、紐を通す穴は内径９．５ｍｍのアルミ製ハトメを固定した。紐を固定する面へは、紐を内側から外層側へ出した後、先端で結び目を作り、内側から引張っても抜けない様にした。他方の紐は、所定の面の通し穴を通して、最終的に左右の顎紐となる様、各々結び付け、左右の顎紐は、一緒に穴径８ｍｍのナイロン製樹脂止めに通した。
この様にして作成した防災用簡易組み立て帽子を、頭に装着し、顎紐を引くことにより、容易に立体的となり、頭部を保護することが可能となった。
【産業上の利用可能性】
【００４４】
本発明の帽子は、使い捨て防災用簡易組み立て帽子として適する。また、一般的に梱包や通函に用いられる安価なダンボール、或いは厚紙、等や紙オムツやナプキンに使われる目付の比較的小さい汎用性のポリプロピレン系不織布、及び外壁の耐水塗装、等に一般的に用いられるアクリル系塗料、ウレタン系塗料、等や麻紐、ハトメ、紐止め、等安価な材料を用いることで、これら材料の生産を促し、不織布への塗料含浸、貼り付け加工、打ち抜き型の製作、打ち抜き加工、紐通し、等、加工業への増産に寄与出来る。
【符号の説明】
【００４５】
１ａ    ：折り曲げる庇面
１ａｈ  ：庇とする折り曲げヒンジ
２ａｈ  ：裏当てを内側に折り込む山折りヒンジ
２ａ    ：前頭額面
２ａ右  ：前頭額右重ね面                    ２ａ左  ：前頭額左重ね面
３ａ右  ：前頭右側面                        ３ａ左  ：前頭左側面
３ａ右横：前頭右側重ね面                    ３ａ左横：前頭左側重ね面
４ａ右  ：右側面                            ４ａ左  ：左側面
５ａ右  ：後頭右側面                        ５ａ左  ：後頭左側面
５ａ右横：後頭右側重ね面                    ５ａ左横：後頭左側重ね面
６ａ右横：後頭右重ね面                      ６ａ左横：後頭左重ね面
７ａ    ：裏当ての頭頂面部
【００４６】
１ｂ    ：折り曲げ庇差込み爪
２ｂ    ：前頭額面の庇爪差込部              ３ｂ    ：前頭左右側面の庇爪差込部
４ｂ    ：裏当てを固定する差込爪            ５ｂ    ：裏当ての爪差込部
【００４７】
２ｃ右  ：前頭額右重ね面の紐固定部          ２ｃ左  ：前頭額左重ね面の紐固定部
３ｃ右  ：前頭右側重ね面の紐固定部          ３ｃ左  ：前頭左側重ね面の紐固定部
３ｃ右１：前頭右側面の紐通し穴              ３ｃ左１：前頭左側面の紐通し穴
４ｃ右１：右側面の上、紐通し穴              ４ｃ左１：左側面の上、紐通し穴
４ｃ右２：右側面の下、紐通し穴              ４ｃ左２：左側面の下、紐通し穴
５ｃ右  ：後頭右側重ね面の紐固定部          ５ｃ左  ：後頭左側重ね面の紐固定部
５ｃ右１：後頭右側面の紐通し穴              ５ｃ左１：後頭左側面の紐通し穴
６ｃ右  ：後頭右重ね面の紐固定部            ６ｃ左  ：後頭左重ね面の紐固定部
【００４８】
１ｄ右  ：前頭額右重ね面の固定用紐          １ｄ左  ：前頭額左重ね面の固定用紐
２ｄ右  ：前頭右側重ね面の固定用紐          ２ｄ左  ：前頭左側重ね面の固定用紐
３ｄ右  ：後頭右重ね面の固定用紐            ３ｄ左  ：後頭左重ね面の固定用紐
４ｄ右  ：後頭右側重ね面の固定用紐          ４ｄ左  ：後頭左側重ね面の固定用紐
５ｄ右  ：１ｄ右、２ｄ右、３ｄ右、４ｄ右を結んだ右側の顎紐
５ｄ左  ：１ｄ左、２ｄ左、３ｄ左、４ｄ左を結んだ左側の顎紐
６ｄ    ：樹脂製紐止め
【００４９】
１ｆ    ：蛇腹状の折り込みを内包する頭頂及びその周囲の裏当て用の折り込み
２ｆ    ：頭頂及びその周囲の裏当て用の折り込みの差込爪
３ｆ    ：１ｆに内包される蛇腹状の折り込み
【００５０】
１ｇ    ：１ａの庇面を１ａｈで示す線に従い、先ず垂直に折り曲げる方向を示す
２ｇ    ：１ａの庇面を１ａｈで示す線で、更に折り曲げる方向を示す
３ｇ    ：１ａの庇面を、更に折り曲げ、重ね合わせ、１ｂの爪を２ｂ、３ｂに差込み、庇が完成した状態を示す
１ｈ    ：外装の一部の断面で、ダンボール或いは厚紙を示す
２ｈ    ：塗料を含有した不織布、或いは樹脂に含有されたガラス繊維を示す
３ｈ    ：塗料表面或いは樹脂表面を示す
【図１】
2011021293.tif 000003
【図２】
2011021293.tif 000004
【図３】
2011021293.tif 000005
【図４】
2011021293.tif 000006
【図５】
2011021293.tif 000007
【図６】
2011021293.tif 000008
【図７】
2011021293.tif 000009
【図８】
2011021293.tif 000010
【図９】
2011021293.tif 000011